(57)【要約】【課題】外出時、ハンカチ、ポケットティッシュを持参する際、鞄や衣類のポケット等の収納場所がなくとも、携帯できるようにする。【解決手段】携帯用ポケットティッシュケース本体に、ループをふたつ取り付けひとつのループにはクリップやフック等を通し、ポケットティッシュケース本体をそのクリップやフック等により衣類や鞄等の好きな場所に取り付けられるようにし、もうひとつのループにハンカチを通しハンカチとポケットティッシュを、手ぶらで携帯することができることを特徴とする。【選択図】  図１
2005324858.tif 000002
【特許請求の範囲】
【請求項１】
任意の携帯用ポケットティッシュケースと、該携帯用ポケットティッシュケースに設けられハンカチやハンドタオルを露出した状態で留める留め具と、携帯用ポケットティッシュに接続された端部にクリップやフック等の服や鞄等への着脱部材を有する連接体よりなる固定具とにより構成される多機能ポケットティッシュケース。
【請求項２】
任意の携帯用ポケットティッシュケースと、該携帯用ポケットティッシュケースに設けられハンカチやハンドタオルを露出した状態で留める留め具とよりなる多機能ポケットテイッシュケース。
【請求項３】
固定具が留め具と一体となった状態で携帯用ポケットティッシュケースと着脱するための着脱手段を有するものであることを特徴とする請求項１記載の多機能ポケットティッシュケース。
【発明の詳細な説明】
【技術分野】
【０００１】  本発明は、ポケットティッシュケースを、同時に携帯し、使用することができる、携帯用ポケットティッシュケースに関するものである。
【背景技術】
【０００２】  従来、外出時に携帯する、ポケットティッシュケースとしては、ハンカチを合わせて携帯する機能を有するものとして、ケースにポケットを設け、ハンカチ全体を収納するものがあった。又、ハンカチとポケットティッシュケースの連結のためにあらかじめハンカチに連結具が取り付けられた専用ハンカチを用いた構造となっていた。
【発明の開示】
【発明が解決しようとする課題】
【０００３】  そのために、次のような問題点があった。
（イ）外出時、ハンカチ、ティッシュを持参したかどうか、鞄の中、もしくは、衣類          のポケットの中を確認する手間、外出先での使用時、再度探す手間がかかった
（ロ）手洗い前にハンカチを手元に出しておくと、洗う際、両手がふさがれるので、          脇に抱えたり口にくわえたりして、落としてしまうことがあり、手洗いに専念          できなかった。
（ハ）鞄、ポケットの中に手洗い後のぬれた状態の手を入れ、ハンカチを取り出すた          め、ポケットティッシュケースやティッシュ、周辺もぬらしてしまったり、使          用後のハンカチも湿った状態で収納しなければならなかった。
本発明は、これらの問題点を解決するためになされたものである。
【課題を解決するための手段】
【０００４】  任意の携帯用ポケットティッシュケースと、該携帯用ポケットティッシュケースに設けられたハンカチやハンドタオルを露出した状態で留める留め具を設け、携帯用ポケットティッシュに接続された端部にクリップやフック等の服や鞄等への着脱部材を有する連接体よりなる固定具とにより構成される。これにより、収納場所が無い場合も持参、携帯する事ができる。以上を特徴とした、多機能ポケットティッシュケースである。
【発明の効果】
【０００５】  専用ハンカチを用いることなく、使用後の湿った状態のハンカチを収納せずにすむため乾きも良くなる。
外出前、外出時、鞄の中や衣類のポケットの中を、手探りでハンカチ、ティッシュの持参確認や、使用時の探す手間がなくなり、幼児に使用させる際も目視で持参確認が済む。
ポケットティッシュとハンカチが露出携帯されていることによって、ティッシュとその周辺をぬらす事無くハンカチを使用する事が可能となった。
固定具を設けることにより幼児の、登校時外出時等、ハンカチやポケットティッシュを持参させる際に、鞄や衣類のポケットがなくとも、クリップ等により衣類にも直接容易に付け外しができるようにし、手ぶらの状態でいつでも携帯可能で、使用可能とした。
固定具と留め具が一体となった状態でポケットティッシュケースから着脱できる事によりハンカチだけ、もしくは、ポケットティッシュだけの単独携帯も可能となる。
【発明を実施するための最良の形態】
【０００６】  本発明の請求項１記載の実施形態について説明する。図１、図２、図３に示すように折りたたまれ連続して取り出せるポケットティッシュ（３）を収納するポケットティッシュケース本体（１）に取り出すポケットティッシュ（３）の取り出し口端辺に合わせて設けられた切り込み部（２）を設ける。そのポケットティッシュケース本体（１）にクリップ（４）の取り付け具を通した、大ゴムループ（５）を四隅のうちの一隅のループ縫込み部（７）に縫い込む。ポケットティッシュケース本体（１）に取り付けられた大ゴムループ（５）に並ぶように隣に、ハンカチを通した際ハンカチが固定され，押さえ込まれ、すり抜ける事の無い範囲の大きさの伸縮性を持った小ゴムループ（６）をループ縫込み部（７）に縫い込む。
本発明は以上のような構成で、これを使用するときは、ポケットティッシュケース本体（１）の切り込み部（２）より、ポケットティッシュ（３）を差し込み収納する。大ゴムループ（５）に通してあるクリップ（４）を使い、着用している衣類や鞄等に直接はさみ止める。自分の所持するハンカチ（８）の半分程度までを小ゴムループ（６）にすり抜けないように通す。この際、小ゴムループ（６）の伸縮により、ハンカチは押さえ込まれ固定される。尚、小ゴムループ（６）の素材として高摩擦力のあるものを利用する事で固定力はより向上する。又、伸縮により幼児でも容易にハンカチ取り付ける事ができる。
鞄もしくは衣類等のハンカチ、ティッシュの収納場所がなくとも、図４に示すようなベルト通し部（９）や図５に示すように衣類に付属させ、露出し手ぶらの状態でのハンカチティッシュの同時携帯が可能となり、使用の際の探す手間を省き、両手を使っての手洗い時もハンカチ（８）が露出しているため、周りの他物に触れる前に簡単に手を拭く事ができハンカチ（８）の使用が容易になった。尚、ポケットティッシュケースの大きさは、通常使用されているポケットティッシュ、子供用ミニポケットティッシュ等、対象に合わせた物とする。又、図６のように、鞄の取っ手部（１０）に付属させ携帯することも可能である。【０００７】  本発明の第２の実施形態について説明する。図７で示すように携帯用ポケットティッシュケース本体（１）に小ゴムループ（６）を設け、図８の示すように、小ゴムループ（６）にハンカチ（８）を通し、ポケットティッシュケース本体（１）とハンカチ（８）をクリップやフック等の固定具のない状態で収納し携帯するものである。【０００８】  本発明の第３の実施形態について説明する。事例１として図９の示すようにポケットティッシュケース本体（１）に小ゴムループ（６）を設け、そこに着脱可能チェーンループ（１３）にフック（４）を通した状態のものを取りつけ、ポケットティッシュケース本体（１）のみでの単独露出形態を可能とした。【０００９】  事例２として、図１０で示すように、図９では、着脱可能チェーンループ（１３）のみだったものに、着脱可能ゴムループ（１５）を通し、図１１で示すように着脱可能ゴムループ（１５）にハンカチ（８）を通しポケットティッシュケース本体（１）とハンカチ（８）の同時携帯や、図１２に示すようにチェーンループはめ込み式着脱部（１４）より着脱可能ゴムループ（１５）のみを着脱し、使用することによりハンカチ（８）のみ、クリップ（４）やチェーンつきフック等での、単体露出形態も可能とした。【００１０】  事例３として、図１３の示すように、図１２で示す使用法の着脱可能ゴムループ（１５）部分に結束布（１６）を付属させ、面ファスナー凹（１７）と面ファスナー凸（１８）を設け、ハンカチ（８）を結束止めにしたハンカチのみの単体露出携帯や、図１４の示すように金具ループ（２０）に、チェーン付フック（１９）を付属させた状態で結束布（１６）を付属させ、ハンカチ（８）を結束止めにしたハンカチのみの単体露出携帯とすることも可能とした。【００１１】  事例４として、図１５、図１６、図１７に示すように、ポケットティッシュケース本体背面部（２２）に図１３、図１４で示した、結束止めにするための、面ファスナー凹（１６）と面ファスナー凸（１７）を設けた結束布（１５）を着脱可能な状態にするためにポケットティッシュケース本体背面部（２２）に結束布着脱部面ファスナー凹（２０）を設け結束布（１５）には結束布着脱部面ファスナー凸（２１）を設けた。これにより、ポケットティッシュケース本体（１）とハンカチ（８）を巻き止める結束布（１５）を着脱可能にし、ポケットティッシュケース本体（１）とハンカチ（８）の同時露出携帯も可能とし、図１３、図１４の示すように単体携帯も可能とした。
【図面の簡単な説明】
【００１２】
【図１】  請求項１記載の本発明の全体図
【図２】  請求項１記載の本発明のハンカチ付属時の斜視図
【図３】  請求項１記載の本発明のハンカチ付属時の正面図
【図４】  請求項１記載の本発明をベルト通し部に携帯時の正面図
【図５】  請求項１記載の本発明を衣類に携帯時の正面図
【図６】  請求項１記載の本発明鞄の取っ手に携帯時の正面図
【図７】  請求項２記載の本発明の全体図
【図８】  請求項２記載の本発明にハンカチ付属時の斜視図
【図９】  請求項３記載の本発明の事例１の全体図
【図１０】  請求項３記載の本発明の事例２の全体図
【図１１】  請求項３記載の本発明の事例２の斜視図
【図１２】  請求項３記載の本発明の事例２のハンカチの単独携帯時の全体図
【図１３】  請求項３記載の本発明の事例３のゴムループと面ファスナー使用時の全体図
【図１４】  請求項３記載の本発明の事例３の金具ループと面ファスナー使用時の全体図
【図１５】  請求項３記載の本発明の事例４の分解斜視図
【図１６】  請求項３記載の本発明の事例４の背面図
【図１７】  請求項３記載の本発明の事例４の全体図
【符号の説明】
【００１３】    １    ポケットティッシュケース本体
２    切込み部
３    ポケットティッシュ
４    クリップ
５    大ゴムループ
６    小ゴムループ
７    ループ縫込み部
８    ハンカチ
９    ベルト通し部
１０  鞄取っ手部
１１  鞄
１２  着脱可能チェーンループ
１３  チェーンループはめ込み式着脱部
１４  着脱可能ゴムループ
１５  結束布
１６  面ファスナー凹
１７  面ファスナー凸
１８  金具ループ
２０  結束布着脱部面ファスナー凹
２１  結束布着脱部面ファスナー凸
２２  ポケットティッシュケース本体背面部
【図１】
2005324858.tif 000003
【図２】
2005324858.tif 000004
【図３】
2005324858.tif 000005
【図４】
2005324858.tif 000006
【図５】
2005324858.tif 000007
【図６】
2005324858.tif 000008
【図７】
2005324858.tif 000009
【図８】
2005324858.tif 000010
【図９】
2005324858.tif 000011
【図１０】
2005324858.tif 000012
【図１１】
2005324858.tif 000013
【図１２】
2005324858.tif 000014
【図１３】
2005324858.tif 000015
【図１４】
2005324858.tif 000016
【図１５】
2005324858.tif 000017
【図１６】
2005324858.tif 000018
【図１７】
2005324858.tif 000019